(57)【特許請求の範囲】
【請求項１】
サービング基地局が、アップリンクデータ送信のために航空機ユーザ機器装置（ＡＶ−ＵＥ）によって使用される通信リソースを割り当て、前記通信リソースに関するスケジューリング割り当て情報を前記ＡＶ−ＵＥへ送信することと、
前記ＡＶ−ＵＥが、前記スケジューリング割り当て情報を、少なくとも１つの隣接基地局へ送信することと、
前記少なくとも１つの隣接基地局が、前記スケジューリング割り当て情報を前記ＡＶ−ＵＥから受信することと、
前記ＡＶ−ＵＥが、前記通信リソースを使用してアップリンクデータを前記サービング基地局へ送信することと、を含み、
前記少なくとも１つの隣接基地局は、前記サービング基地局と互いに比較的近い、方法。
【請求項２】
前記スケジューリング割り当て情報を送信することは、プリアンブル、追加の参照信号、拡張サイクリックプレフィックス、及びタイミングアドバンスうちの少なくとも１つを前記スケジューリング情報の送信に追加することを含む、請求項１に記載の方法。
【請求項３】
サービング基地局が、アップリンクデータ送信のために航空機ユーザ機器装置（ＡＶ−ＵＥ）によって使用される通信リソースを割り当て、前記通信リソースに関するスケジューリング割り当て情報を前記ＡＶ−ＵＥへ送信することと、
前記ＡＶ−ＵＥが、サウンディング参照信号（ＳＲＳ）を少なくとも１つの隣接基地局に送信することと、
前記少なくとも１つの隣接基地局が、前記ＳＲＳを前記ＡＶ−ＵＥから受信することと、
前記ＡＶ−ＵＥが、前記通信リソースを使用してアップリンクデータを前記サービング基地局へ送信することと、を含み、
前記少なくとも１つの隣接基地局は、前記サービング基地局と互いに比較的近く、
前記方法は、さらに、前記少なくとも１つの隣接基地局が、アップリンクデータ送信のために前記ＡＶ−ＵＥによって使用される前記通信リソースに関するスケジューリング割り当て情報を取得するために、前記ＳＲＳを復号することをさらに含む、方法。
【請求項４】
前記ＳＲＳを送信することは、
次のアップリンクデータ送信に使用されることになるサブキャリアのセットを使用して前記ＳＲＳを送信することを含む、請求項３に記載の方法。
【請求項５】
前記ＳＲＳを送信することは、
次のアップリンクデータ送信に使用されることになる前記通信リソースに関する情報を暗黙的に伝える特定のシーケンスを送信することを含む、請求項３に記載の方法。
【請求項６】
前記少なくとも１つの隣接基地局が、前記ＡＶ−ＵＥのアップリンクデータ送信からの干渉を緩和することをさらに含む、請求項１に記載の方法。
【請求項７】
航空機ユーザ機器装置（ＡＶ−ＵＥ）と、
アップリンクデータ送信のために前記ＡＶ−ＵＥによって使用される通信リソースを割り当てる制御部と前記通信リソースに関するスケジューリング割り当て情報を前記ＡＶ−ＵＥへ送信する第１送信部とを備えるサービング基地局と、
前記ＡＶ−ＵＥに割り当てられた前記通信リソースに関するスケジューリング割り当て情報を前記ＡＶ−ＵＥから受信する受信部を備える少なくとも１つの隣接基地局と、を備え、
前記少なくとも１つの隣接基地局は、前記サービング基地局と互いに比較的近く、
前記ＡＶ−ＵＥは、前記スケジューリング割り当て情報を前記少なくとも１つの隣接基地局へ送信する第２送信部を備え、
前記第２送信部は、前記受信部が前記スケジューリング割り当て情報を前記ＡＶ−ＵＥから受信した後、前記通信リソースを使用してアップリンクデータを前記サービング基地局へ送信する送信部を備える、システム。
【請求項８】
前記ＡＶ−ＵＥの前記送信部は、さらに、プリアンブル、追加の参照信号、拡張サイクリックプレフィックス、及びタイミングアドバンスうちの少なくとも１つを前記スケジューリング割り当て情報の送信に追加する、請求項７に記載のシステム。
【請求項９】
航空機ユーザ機器装置（ＡＶ−ＵＥ）と、
アップリンクデータ送信のために前記ＡＶ−ＵＥによって使用される通信リソースを割り当てる制御部と前記通信リソースに関するスケジューリング割り当て情報を前記ＡＶ−ＵＥへ送信する第１送信部とを備えるサービング基地局と、
前記サービング基地局と互いに比較的近い少なくとも１つの隣接基地局と、を備え、
前記ＡＶ−ＵＥは、サウンディング参照信号（ＳＲＳ）を前記少なくとも１つの隣接基地局に送信する第２送信部を備え、
前記少なくとも１つの隣接基地局は、前記ＳＲＳを前記ＡＶ−ＵＥから受信する受信部を備え、
前記第２送信部は、前記受信部が前記ＳＲＳを前記ＡＶ−ＵＥから受信した後、前記通信リソースを使用してアップリンクデータを前記サービング基地局へ送信し、
前記少なくとも１つの隣接基地局は、アップリンクデータ送信のために前記ＡＶ−ＵＥによって使用される前記通信リソースに関するスケジューリング割り当て情報を取得するために、前記ＳＲＳを復号する制御部を備える、システム。
【請求項１０】
前記ＡＶ−ＵＥの前記送信部は、さらに、次のアップリンクデータ送信に使用されることになるサブキャリアのセットを使用して前記ＳＲＳを送信する、請求項９に記載のシステム。
【請求項１１】
前記ＡＶ−ＵＥの前記送信部は、次のアップリンクデータ送信に使用されることになる前記通信リソースに関するスケジューリング割り当て情報を暗黙的に伝える特定のシーケンスを送信する、請求項９に記載のシステム。
【請求項１２】
前記少なくとも１つの隣接基地局は、前記ＡＶ−ＵＥのアップリンクデータ送信からの干渉を緩和する制御部を備える、請求項７に記載のシステム。
【請求項１３】
航空機ユーザ機器装置（ＡＶ−ＵＥ）であって、
サービング基地局によって前記ＡＶ−ＵＥに割り当てられた通信リソースであって、アップリンクデータ送信のために使用する前記通信リソースに関するスケジューリング割り当て情報をサービング基地局から受信する受信部と、
前記スケジューリング割り当て情報を、前記サービング基地局と互いに比較的近い少なくとも１つの隣接基地局へ送信する送信部と、を備え、
前記送信部は、前記少なくとも１つの隣接基地局が前記スケジューリング割り当て情報を前記ＡＶ−ＵＥから受信した後、前記通信リソースを使用してアップリンクデータを前記サービング基地局へ送信する、ＡＶ−ＵＥ。
【請求項１４】
航空機ユーザ機器装置（ＡＶ−ＵＥ）であって、
サービング基地局によって前記ＡＶ−ＵＥに割り当てられた通信リソースであって、アップリンクデータ送信のために使用する前記通信リソースに関するスケジューリング割り当て情報をサービング基地局から受信する受信部と、
前記サービング基地局と互いに比較的近い少なくとも１つの隣接基地局において前記スケジューリング割り当て情報を取得するために、前記少なくとも１つの隣接基地局へ、サウンディング参照信号（ＳＲＳ）を送信する送信部と、を備え、
前記送信部は、前記少なくとも１つの隣接基地局が前記ＳＲＳを前記ＡＶ−ＵＥから受信した後、前記通信リソースを使用してアップリンクデータを前記サービング基地局へ送信する、ＡＶ−ＵＥ。
【請求項１５】
サービング基地局と互いに比較的近い基地局であって、
前記サービング基地局によって航空機ユーザ機器装置（ＡＶ−ＵＥ）に割り当てられた通信リソースであって、アップリンクデータ送信のために前記ＡＶ−ＵＥによって使用される前記通信リソースに関するスケジューリング割り当て情報を、前記ＡＶ−ＵＥから受信する受信部、を備え、
前記受信部が前記スケジューリング割り当て情報を前記ＡＶ−ＵＥから受信した後、前記ＡＶ−ＵＥから前記通信リソースを使用して送信されたアップリンクデータが前記サービング基地局で受信される、基地局。
【請求項１６】
サービング基地局と互いに比較的近い基地局であって、
前記サービング基地局によって航空機ユーザ機器装置（ＡＶ−ＵＥ）に割り当てられた通信リソースであって、アップリンクデータ送信のために前記ＡＶ−ＵＥによって使用される前記通信リソースに関するスケジューリング割り当て情報を取得するために、前記ＡＶ−ＵＥから、サウンディング参照信号（ＳＲＳ）を受信する受信部、を備え、
前記受信部が前記ＳＲＳを前記ＡＶ−ＵＥから受信した後、前記ＡＶ−ＵＥから前記通信リソースを使用して送信されたアップリンクデータが前記サービング基地局で受信される、基地局。
【発明の詳細な説明】
【優先権の主張】
【０００１】
本出願は、２０１７年８月１１日に出願された米国特許仮出願第６２／５４４，１７９号及び２０１８年５月１６日に出願された米国特許仮出願第６２／６７２，１４６号であって、発明の名称が「ＩＮＴＥＲＦＥＲＥＮＣＥ  ＭＩＴＩＧＡＴＩＯＮ  ＦＯＲ  ＡＥＲＩＡＬ  ＶＥＨＩＣＬＥ  ＣＯＭＭＵＮＩＣＡＴＩＯＮＳ  ＢＹ  ＳＨＡＲＩＮＧ  ＳＣＨＥＤＵＬｌＮＧ  ＩＮＦＯＲＭＡＴＩＯＮ  ＷＩＴＨ  ＮＥＩＧＨＢＯＲＩＮＧ  ＢＡＳＥ  ＳＴＡＴＩＯＮＳ」に対する優先権を主張し、その全てが本出願の譲受人に譲渡されている。
【技術分野】
【０００２】
本発明は、一般に無線通信に関し、より詳細には、航空機ユーザ機器装置によって引き起こされる干渉を緩和することに関する。
【背景技術】
【０００３】
ドローンなどの航空機（ＡＶ）は、ここ数年で関心が高まっている。ＡＶは、パッケージ配送、リアルタイムイメージング、映像監視、ソーラーファーム検査、火災及び暴風雨の評価、捜索救助、重要インフラの監視、野生生物の保護など、多くの様々な応用例を実行するために使用することができる。これらの新しいユースケースの多くは、ＡＶをユーザ機器（ｕｓｅｒ  ｅｑｕｉｐｅｎｔ）（ＵＥ）装置としてセルラネットワークに接続することで利益を得ることができる。
【発明の概要】
【０００４】
サービング基地局は、アップリンクデータ送信のために、航空機ユーザ機器装置（ＡＶ−ＵＥ）によって使用される通信リソースを割り当てる。隣接基地局は、エアインターフェースを介して、前記ＡＶ−ＵＥに割り当てられた前記通信リソースを通知される。いくつかの例では、前記ＡＶ−ＵＥは、前記サービング基地局からアップリンク許可で受信されたスケジューリング割り当て情報を前記隣接基地局に再送信する。さらに他の例では、前記ＡＶ−ＵＥは、サウンディング参照信号（ＳＲＳ）を前記隣接基地局に送信する。前記隣接基地局は、アップリンクデータ送信のために前記ＡＶ−ＵＥに割り当てられた前記通信リソースに関する情報を取得するために、前記再送されたスケジューリング割り当て情報及び／又は前記ＳＲＳを復号し得る。前記隣接基地局は、前記ＡＶ−ＵＥによって送信された前記アップリンクデータ送信からの干渉を緩和する。
【図面の簡単な説明】
【０００５】
【図１】図１は、航空機ユーザ機器装置（ＡＶ−ＵＥ）によって引き起こされる干渉を緩和するために、ＡＶ−ＵＥのスケジューリング割り当て情報が、エアインターフェースを介して、隣接基地局と共有される一例のシステムのブロック図である。
【０００６】
【図２Ａ】図１に示される基地局の一例のブロック図である。
【０００７】
【図２Ｂ】図１に示されるＡＶ−ＵＥの一例のブロック図である。
【０００８】
【図３Ａ】図３Ａは、サービング基地局が、少なくとも１つの隣接基地局から受信した少なくとも１つのアップリンク測定レポートに基づいて、通信リソースをＡＶ−ＵＥに動的に割り当てる一例のメッセージング図である。
【０００９】
【図３Ｂ】図３Ｂは、サービング基地局が、ＡＶ−ＵＥから受信したダウンリンク測定レポートに基づいて、通信リソースをＡＶ−ＵＥに動的に割り当てる一例のメッセージング図である。
【００１０】
【図３Ｃ】図３Ｃは、ＡＶ−ＵＥが、ＡＶ−ＵＥに割り当てられた通信リソースに関するスケジューリング割り当て情報を隣接基地局に送信する一例のメッセージング図である。
【００１１】
【図３Ｄ】図３Ｄは、ＡＶ−ＵＥがサウンディング参照信号（ＳＲＳ）を隣接基地局に送信し、隣接基地局がＡＶに割り当てられた通信リソースに関するスケジューリング割り当て情報を取得するために、ＳＲＳを復号し得る一例のメッセージング図である。
【００１２】
【図４】図４は、ＡＶ−ＵＥによって引き起こされる干渉を緩和するために、ＡＶ?ＵＥによるスケジューリング割り当て情報が、エアインターフェースを介して、隣接基地局と共有される方法の一例のフローチャートである。
【発明を実施するための形態】
【００１３】
航空機（ＡＶ）をユーザ機器（ＵＥ）デバイスとしてネットワークに接続する場合、いくつかの考慮すべき重要な事項がある。ＡＶが接続され得る対象のネットワークの一例が、３ＧＰＰ（３ｒｄ  Ｇｅｎｅｒａｔｉｏｎ  Ｐａｒｔｎｅｒｓｈｉｐ  Ｐｒｏｊｅｃｔ）  ＬＴＥ（Ｌｏｎｇ−Ｔｅｒｍ  Ｅｖｏｌｕｔｉｏｎ）ネットワークである。他の例では、ネットワークは、第５世代無線システム（５Ｇ）Ｎｅｗ  ＲａｄｉｏネットワークであるＡＶが接続する対象の特定のネットワークにかかわらず、今後数年間でドローンなどのＡＶからのデータトラフィックの増加に備えてセルラネットワークをより適切に準備するために付加拡張機能が特定され得る。
【００１４】
例えば、本明細書ではＡＶ−ＵＥと呼ばれる、ＵＥ装置としてネットワークに接続する空中ＡＶは、地上で動作する典型的なＵＥ装置が経験するものとは異なる可能性が高い無線伝搬特性を経験する可能性がある。より具体的には、ＡＶ−ＵＥが基地局アンテナの高さに比べて低い高度で飛行している場合、ＡＶ−ＵＥは、従来のＵＥ装置又は地上ＵＥ装置のように振る舞う。しかしながら、ＡＶ−ＵＥが基地局アンテナの高さをはるかに超えて飛行すると、見通し内伝搬条件により、ＡＶ−ＵＥから送信されるアップリンク信号が複数のセル（基地局など）で受信される可能性がある。
【００１５】
従って、ＡＶ−ＵＥの高度が増加するにつれて、隣接セルへの干渉を引き起こすＡＶ−ＵＥからのアップリンク信号が増加する可能性がある。干渉の増加は、地上のＵＥ装置（例えば、スマートフォン、ＩｏＴ（Ｉｎｔｅｒｎｅｔ  ｏｆ  Ｔｈｉｎｇｓ）装置など）に悪影響を与える。これは、従来のＵＥ装置の把握されるスループットパフォーマンスが低下しないように、ネットワークがネットワーク内のＡＶ−ＵＥの接続を制御する必要があることを意味する。
【００１６】
上述の観察に基づいて、専用通信リソースでＡＶ−ＵＥアップリンクデータ送信をスケジュールすることによって、ネットワークに接続されたＡＶ−ＵＥからの干渉を緩和する必要がある。本明細書で説明される例は、ＡＶ−ＵＥによって引き起こされる干渉を軽減するための２つの異なるシナリオを扱う方法及びシステムを含む。第１のシナリオには、ＡＶ−ＵＥによって引き起こされる干渉を軽減するための基地局間の調整を伴う。第２のシナリオでは、基地局間の調整は利用できない。
【００１７】
図１は、航空機ユーザ機器装置（ＡＶ−ＵＥ）によって引き起こされる干渉を緩和するために、ＡＶ−ＵＥのスケジューリング割り当て情報が、エアインターフェースを介して、隣接基地局と共有される一例の通信システムのブロック図である。通信システム１００は、無線アクセスネットワークの一部である様々な基地局のそれぞれのサービスエリア内に位置するＵＥ装置に様々な無線サービスを提供する無線アクセスネットワーク（図示せず）の一部である。基地局１０２は、既知の技術に従って、バックホール（図示せず）を介してネットワークに接続される。基地局１０２は、本明細書の例においてＵＥ装置として機能するＵＥ装置１１２及びＡＶ−ＵＥ１０６に無線サービスを提供する。基地局１０２は、通信リンク１２０を介してＵＥ装置１１２と通信し、通信リンク１１６を介してＡＶ−ＵＥ１０６と通信する。
【００１８】
ＡＶ−ＵＥ１０６は、図１では基地局１０２のサービスエリア１０８の上方に位置しているが、この例での基地局１０２は、ＡＶ−ＵＥ１０６のサービング基地局である。例えば、サービスエリア１０８、１１０は、図１には２次元エリアとして示されているが、ＡＶ−ＵＥにサービスを提供するために、サービスエリアは実際には、図１に示すサービスエリアの上方の様々な高度に位置し得るＡＶ−ＵＥにサービスを提供するために上方へ垂直に延びることが理解されよう。具体的には、ＡＶ−ＵＥ１０６にコネクテッドモード（Ｃｏｎｎｅｃｔｅｄ  ｍｏｄｅ）でサーブするためにどの基地局が使用されるかの決定は、隣接基地局の負荷、基地局アンテナ構成、ＡＶ−ＵＥ１０６からのダウンリンク信号強度測定レポートなどの複数の因子に従ってネットワークによって制御される。これに関して、基地局によって従来の地上ＵＥ装置に提供され得るカバレッジエリアと同様に、基地局によってＡＶ−ＵＥに提供され得るカバレッジエリアもまた、距離、環境条件、障害物、及び干渉の影響を受け得ることは注目に値する。
【００１９】
図１に示される例では、通信リンク１１６は、ＡＶ−ＵＥ１０６と基地局（ｅＮＢ）１０２との間のＵｕリンクである。通信リンク１１６は、基地局１０２からＡＶ−ＵＥ１０６へのダウンリンク通信を提供するとともに、ＡＶ−ＵＥ１０６から基地局１０２へのアップリンク通信を提供するように構成される。
【００２０】
明確かつ簡潔にするために、通信システム１００は、通信リンク１２２を介してＵＥ装置１１４に無線サービスを提供する１つの隣接基地局１０４のみを有するものとして示されている。しかしながら、他の例では、通信システム１００は、任意の適切な数の基地局を有することができる。図１に示す例では、基地局１０２は、ＡＶ−ＵＥ１０６に無線サービスを提供しているので、サービング基地局であると見なされる。しかしながら、隣接基地局１０４はまた、ＡＶ−ＵＥ１０６が隣接基地局１０４にハンドオーバされる場合、通信リンク１１６と同様の通信リンクを介して無線サービスをＡＶ−ＵＥ１０６に提供することができる。ＡＶ−ＵＥ１０６が隣接基地局１０４にハンドオーバされる場合、隣接基地局１０４はサービング基地局になり、基地局１０２は隣接基地局になる。本明細書で説明する例の目的で、基地局は、互いに比較的近い場合、及び／又はＡＶ−ＵＥ１０６が所与の時間に隣接する基地局のそれぞれから信号を同時に受信できる場合、互いに隣接すると見なされる。
【００２１】
基地局１０２は、ｅＮｏｄｅＢ又はｅＮＢと呼ばれることがあり、通信リンク１１６を介してダウンリンク信号を送信することによりＡＶ−ＵＥ１０６と通信する。Ｎｅｗ  Ｒａｄｉｏに基づく５Ｇのケースでは、基地局はｇＮＢと呼ばれることがある。基地局１０２は、ＡＶ−ＵＥ１０６から通信リンク１１６を介して送信されたアップリンク信号も受信する。本明細書では、「基地局（ｂａｓｅ  ｓｔａｔｉｏｎ）」及び「セル（ｃｅｌｌ）」という用語は交換可能である。いくつかのケースでは、サービングセルは第１の基地局によって提供され、隣接セルは第２の基地局によって提供される。しかしながら、他のケースでは、サービングセル及び隣接セルは同じ基地局によって提供されてもよい。
【００２２】
図２Ａは、サービング基地局１０２の回路及び構成を具体的に示しているが、サービング基地局１０２に関連して図示され説明される同じ基地局の回路及び構成は、図１に示す例における隣接基地局１０４にも利用される。他の例では、基地局１０８、１１４はどちらも、図２Ａに示されるサービング基地局１０２のものとは異なる回路及び／又は構成を有することができる。
【００２３】
図２Ａに示されるように、基地局１０２は、制御部２０４、送信部２０６、及び受信部２０８、ならびに他の電子機器、ハードウェア、及びコードを備える。基地局１０２は、本明細書に記載の機能を実行する任意の固定機器、モバイル機器、又は携帯用機器である。基地局１０２を参照して説明したブロックの様々な機能及び動作は、任意の数のデバイス、回路、又は要素に実施され得る。機能ブロックのうちの２つ以上は単一デバイスに統合されてもよく、任意の単一デバイス内で実行されると説明した機能は、いくつかのデバイスにわたって実施されてもよい。
【００２４】
図２Ａに示した例では、基地局１０２は、システム展開時に特定の場所に設置される固定デバイス又は装置であり得る。この種の機器の例には、固定基地局又は固定トランシーバ局が含まれる。状況によっては、基地局１０２は、特定の場所に一時的に設置されるモバイル機器であってもよい。この種の機器のいくつかの例には、発電機、ソーラーパネル、及び／又は電池などの発電機器を含み得るモバイルトランシーバ局が含まれる。かかる機器のさらに大型で重いバージョンは、トレーラで輸送されてもよい。さらに他の状況では、基地局１０２は、特定の場所に固定されていない携帯用デバイスであってもよい。従って、基地局１０２は、状況次第ではＵＥ装置などの携帯用ユーザデバイスであってもよい。
【００２５】
制御部２０４は、本明細書に記載の機能を実行するとともに、基地局１０２の全体的な機能を促進するためのハードウェア、ソフトウェア、及び／又はファームウェアの任意の組み合わせを含む。適切な制御部２０４の一例は、メモリに接続されたマイクロプロセッサ又はプロセッサ装置上で走るコードを含む。送信部２０６は、無線信号を送信するように構成された電子機器を含む。状況によっては、送信部２０６は複数の送信機を含むことができる。受信部２０８は、無線信号を受信するように構成された電子機器を含む。状況によっては、受信部２０８は複数の受信機を含むことができる。受信部２０８及び送信部２０６はそれぞれ、アンテナ２１０を介して信号を受信及び送信する。アンテナ２１０は、別々の送信アンテナ及び受信アンテナを含むことができる。状況によっては、アンテナ２１０は、複数の送信アンテナ及び受信アンテナを含むことができる。
【００２６】
図２Ａの例における送信部２０６及び受信部２０８は、変調及び復調を含む無線周波数（ＲＦ）処理を実行する。従って、受信部２０８は、低雑音増幅器（ＬＮＡ）やフィルタなどの構成要素を含むことができる。送信部２０６は、フィルタ及び増幅器を含むことができる。他の構成要素には、アイソレータ、整合回路、及び他のＲＦ構成要素が含まれ得る。これらの構成要素は、他の構成要素と組み合わせて又は協働して基地局の機能を実行する。所要の構成要素は、基地局が必要とする特定の機能に依存することができる。
【００２７】
送信部２０６は変調器（図示せず）を含み、受信部２０８は復調器（図示せず）を含む。変調器は、通信リンク１１６を介して送信されるべきダウンリンク信号を変調し、その際、複数の変調次数のうちのいずれか１つを適用することができる。復調器は、基地局１０２で受信されたアップリンク信号を複数の変調次数のうちの１つに従って復調する。
【００２８】
図１に戻ると、通信システム１００は、基地局１０２を介して様々な無線サービスをＡＶ−ＵＥ１０６に提供する。本明細書の例では、通信システム１００は、第３世代提携プロジェクト（３ＧＰＰ）通信仕様の少なくとも１つの改訂版に従って動作する。図２Ｂに示される例では、ＡＶ−ＵＥ１０６の回路は、基地局１０２と直接通信するように構成される。例えば、ＡＶ−ＵＥ１０６は、アンテナ２１２及び受信部２１４を使用して通信リンク１１６を介してダウンリンク信号を受信する。ＡＶ−ＵＥ１０６は、送信部２１８及びアンテナ２１２を使用してアップリンク信号を送信する。
【００２９】
アンテナ２１２及び受信部２１４に加えて、ＡＶ−ＵＥ１０６は、制御部２１６及び送信部２１８、ならびに他の電子機器、ハードウェア、及びコードをさらに備える。ＡＶ−ＵＥ１０６は、本明細書に記載の機能を実行する任意の固定機器、モバイル機器、又は携帯用機器である。ＡＶ−ＵＥ１０６を参照して説明したブロックの様々な機能及び動作は、任意の数のデバイス、回路、又は要素で実施され得る。機能ブロックのうちの２つ以上は単一デバイスに統合されてもよく、任意の単一デバイス内で実行されると説明した機能は、いくつかのデバイスにわたって実施されてもよい。
【００３０】
本明細書に記載の例では、ＡＶ−ＵＥ１０６は、人間のパイロットを搭乗させることなく飛行することができる任意の無線通信デバイスである。いくつかの例では、ＡＶ−ＵＥ１０６は、無人航空機に取り付けられる又は搭載されていてもよく、飛行時にかつ地上にいるときにＥ−ＵＴＲＡＮ（Ｅｖｏｌｖｅｄ  Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ  Ｔｅｒｒｅｓｔｒｉａｌ  Ｒａｄｉｏ  Ａｃｃｅｓｓ  Ｎｅｔｗｏｒｋ）に接続され得る。ドローンはＡＶ−ＵＥ１０６の一例である。ＡＶ−ＵＥ１０６がドローンである場合、ＡＶ−ＵＥ１０６の飛行は、人間オペレータにより遠隔制御下で、搭載コンピュータにより自律的に、又はリモートコンピュータにより自律的に、のいずかで、様々な自律度で動作し得る。他のケースでは、ＡＶ−ＵＥ１０６は、その高さが人間オペレータによって手動で調整され得る凧であってもよい。さらに他のケースでは、ＡＶ−ＵＥ１０６は、その高さが調整可能な機械化テザーによって調整され得る凧であってもよく、調整可能な機械化テザーは、人間オペレータによって、プログラムされたアルゴリズムによって、又はＡＶ−ＵＥ１０６自体によって制御され得る。
【００３１】
ＡＶ−ＵＥ１０６の制御部２１６は、本明細書に記載の機能を実行するとともに、ＵＥ装置の全体的な機能を促進するためのハードウェア、ソフトウェア、及び／又はファームウェアの任意の組み合わせを含む。適切な制御部２１６の一例は、メモリに接続されたマイクロプロセッサ又はプロセッサ装置上で走るコードを含む。送信部２１８は、無線信号を送信するように構成された電子機器を含む。状況によっては、送信部２１８は複数の送信機を含むことができる。受信部２１４は、無線信号を受信するように構成された電子機器を含む。状況によっては、受信部２１４は複数の受信機を含むことができる。受信部２１４及び送信部２１８はそれぞれ、アンテナ２１２を介して信号を受信及び送信する。アンテナ２１２は、別々の送信アンテナ及び受信アンテナを含むことができる。状況によっては、アンテナ２１２は、複数の送信アンテナ及び受信アンテナを含むことができる。
【００３２】
図２Ｂの例における送信部２１８及び受信部２１４は、変調及び復調を含む無線周波数（ＲＦ）処理を実行する。従って、受信部２１４は、低雑音増幅器（ＬＮＡ）やフィルタなどの構成要素を含むことができる。送信部２１８は、フィルタ及び増幅器を含むことができる。他の構成要素には、アイソレータ、整合回路、及び他のＲＦ構成要素が含まれ得る。これらの構成要素は、他の構成要素と組み合わせて又は協働してＵＥ装置の機能を実行する。所要の構成要素は、ＵＥ装置（例えば、ＡＶ−ＵＥ１０６）が必要とする特定の機能に依存することができる。
【００３３】
送信部２１８は変調器（図示せず）を含み、受信部２１４は復調器（図示せず）を含む。変調器は、送信前に信号を変調するために、複数の変調次数のうちのいずれか１つを適用することができる。復調器は、受信信号を複数の変調次数のうちの１つに従って復調する。
【００３４】
動作中、サービング基地局１０２は、通信リンク１１６を介してＡＶ−ＵＥ１０６に無線サービスを提供する。しかしながら、ＡＶ−ＵＥ１０６が動作する高度のために、ＡＶ−ＵＥ１０６からのアップリンク送信１１８は、隣接する基地局１０４との干渉を引き起こす可能性がある。より具体的には、ＡＶ−ＵＥ１０６からのアップリンクデータ送信１１８は、通信リンク１２２を介してＵＥ装置１１４によって隣接基地局１０４に送信されるアップリンクデータ送信に干渉する可能性がある。上述のように、本明細書で説明される例は、ＡＶ−ＵＥによって引き起こされる干渉を緩和するための２つの異なるシナリオを扱う方法及びシステムを含む。第１のシナリオには、ＡＶ−ＵＥによって引き起こされる干渉を軽減するための基地局間の調整を伴う。第２のシナリオでは、基地局間の調整は利用できない。
【００３５】
基地局がＡＶ−ＵＥ１０６によって引き起こされる干渉を緩和するように調整する第１のシナリオに関連して、サービング基地局１０２は、アップリンクデータ送信のためにＡＶ−ＵＥ１０６に通信リソースを割り当て、エアインターフェースを介して、ＡＶ−ＵＥ１０６に割り当てられた通信リソースを隣接基地局１０４に通知する。この通信リソースの割り当ては、展開パラメータで事前に定義するか、又はサービング基地局１０２によって動的に割り当て得る。通信リソースが動的に割り当てられる例では、サービング基地局１０２は、ＡＶ−ＵＥ１０６によって送信されたアップリンク信号品質測定値及び／又はダウンリンク測定レポートに基づいて通信リソースを選択する。
【００３６】
図３Ａ〜図３Ｄは、ＡＶ−ＵＥに割り当てられた通信リソースが隣接基地局１０４に通知されるいくつかの異なる例による、ＡＶ−ＵＥ１０６、サービング基地局１０２、及び隣接基地局１０４の間で送信される信号を示す。明確かつ簡潔にするために、ＡＶ−ＵＥ１０６と基地局１０２、１０４との間で送信されるメッセージの全てが図３Ａ〜図３Ｄに含まれるわけではない。さらに、図３Ａ〜図３Ｄに示される１つ又は複数のメッセージは省略されてもよい。同様に、追加のメッセージは、サービング基地局１０２がＡＶ−ＵＥ１０６に通信リソースを割り当て、ＡＶ−ＵＥ１０６に割り当てられた通信リソースに関して隣接基地局１０４に通知することを容易にするように、図３Ａ〜図３Ｄに示されるメッセージを超えて含まれ得る。さらに、図３Ａ〜図３Ｄに示される様々な信号は、サービング基地局１０２がＡＶ−ＵＥ１０６に通信リソースを割り当て、ＡＶ−ＵＥ１０６に割り当てられた通信リソースに関して隣接基地局１０４に通知することを容易にするように、互いに組み合わされる及び／又は任意の適切な方法で置換され得る。
【００３７】
図３Ａは、サービング基地局が、少なくとも１つの隣接基地局から受信した少なくとも１つのアップリンク測定レポートに基づいて、通信リソースをＡＶ−ＵＥに動的に割り当てる一例のメッセージング図である。ＡＶ−ＵＥ１０６は、送信部２１８及びアンテナ２１２を介して、サウンディング参照信号（ＳＲＳ）をサービング基地局１０２及び隣接基地局１０４に送信する。基地局１０２、１０４は、それぞれのアンテナ２１０及び受信部２０８を介してＳＲＳを受信する。ＳＲＳを含む信号は、図３Ａに信号３０１によって表される。図３ＡにおけるＳＲＳ送信は、両方の基地局１０２、１０４に送信される単一の送信として示されているが、他の例では、ＡＶ−ＵＥ１０６は、基地局１０２、１０４に別々のＳＲＳ送信を送ってもよい。さらに他の例では、隣接する基地局１０４は、ＡＶ−ＵＥ１０６からの任意の適切なアップリンク送信（例えば、ＰＵＣＣＨ（Ｐｈｙｓｉｃａｌ  Ｕｐｌｉｎｋ  Ｃｏｎｔｒｏｌ  Ｃｈａｎｎｅｌ）、ＰＵＳＣＨ（Ｐｈｙｓｉｃａｌ  Ｕｐｌｉｎｋ  Ｓｈａｒｅｄ  Ｃｈａｎｎｅｌ）、ＲＡＣＨ（Ｒａｎｄｏｍ−Ａｃｃｅｓｓ  Ｃｈａｎｎｅｌ）、参照信号など）を監視し得る。従って、隣接基地局１０４は、アップリンク測定レポートのためにＳＲＳ又は他の任意のアップリンク信号を測定し得る。
【００３８】
図３Ａに示す例では、ＡＶ−ＵＥ１０６は、ＰＵＣＣＨ（Ｐｈｙｓｉｃａｌ  Ｕｐｌｉｎｋ  Ｃｏｎｔｒｏｌ  Ｃｈａｎｎｅｌ）で通信リソースを求める要求を、送信部２１８及びアンテナ２１２を介して、サービング基地局１０２に送信する。サービング基地局１０２は、そのアンテナ２１０及び受信部２０８を介して要求を受信する。要求を含む信号は、図３Ａに信号３０２によって表される。他の例では、要求は、ＰＵＳＣＨでデータ送信の一部として送信され得る。
【００３９】
隣接基地局１０４は、従来のＸ２インターフェースを介して、アップリンクリソースのスケジューリングに関してサービング基地局１０２と調整する。これは、図３Ａに信号３０３によって表されるアップリンク測定レポートを含む。アップリンク測定レポートは、ＡＶ−ＵＥ１０６から受信されたアップリンク信号（例えば、ＳＲＳ３０１又は任意の他のアップリンク信号）に関する情報（例えば、信号強度／品質）を含む。信号３０３は、少なくともアップリンク干渉の原因（例えば、ＡＶ−ＵＥ１０６の識別子）に関する情報を含むべきである。図３Ａでは、図３Ａの要求３０２の後にアップリンク測定レポート３０３が送信されているが、他の例では、アップリンク測定レポート３０３は、要求３０２の前に送信される及び／又はサービング基地局１０２からのアップリンク測定レポートの要求に応答して送信され得る。
【００４０】
要求３０２及びアップリンク測定レポート３０３を受信すると、サービング基地局１０２の制御部２０４は、隣接基地局１０４によって取得されたアップリンク測定レポート３０３（例えば、アップリンク信号品質測定値）に少なくとも部分的に基づいて、ＡＶ−ＵＥ１０６に割り当てられる通信リソースを選択する。他の例では、サービング基地局１０２はまた、ＡＶ−ＵＥ１０６に割り当てる通信リソースを選択する場合、ＡＶ−ＵＥ１０６から受信される信号の自身のアップリンク測定値及び／又は１つ又は複数の追加の隣接基地局からのアップリンク測定レポート値を考慮してもよい。サービング基地局１０２は、送信部２０６及びアンテナ２１０を介して、スケジューリング割り当て情報信号をＰＤＣＣＨ（Ｐｈｙｓｉｃａｌ  Ｄｏｗｎｌｉｎｋ  Ｃｏｎｔｒｏｌ  Ｃｈａｎｎｅｌ）でＡＶ−ＵＥ１０６に送信する。ＡＶ−ＵＥ１０６は、アンテナ２１２及び受信部２１４を介してスケジューリング割り当て情報信号を受信する。隣接基地局１０４は、そのアンテナ２１０及び受信部２０８を介してスケジューリング割り当て情報信号を受信する。スケジューリング割り当て情報信号は、アップリンクデータ送信のためにＡＶ−ＵＥ１０６に割り当てられた通信リソースに関する情報を含む。スケジューリング割り当て情報を含む信号は、図３Ａに信号３０４によって表される。図３Ａでは、信号３０４の送信は、それぞれ、ＡＶ−ＵＥ１０６及び隣接基地局１０４への別個の送信３０４、３０４´として示されているが、他の例では、サービング基地局１０２は、スケジューリング割り当て情報信号３０４を単一の送信としてＡＶ−ＵＥ１０６及び隣接基地局１０４に送信してもよい。場合によっては、スケジューリング割り当て情報信号３０４´の隣接基地局１０４への送信は、無線ベースのＸ２プロトコルを介して行われる。
【００４１】
スケジューリング割り当て情報信号３０４を受信すると、ＡＶ−ＵＥ１０６は、スケジューリング割り当て情報信号３０４で特定された通信リソースを使用して、ＰＵＳＣＨ（Ｐｈｙｓｉｃａｌ  Ｕｐｌｉｎｋ  Ｓｈａｒｅｄ  Ｃｈａｎｎｅｌ）を介してアップリンクデータ送信の送信を開始する。ＡＶ−ＵＥ１０６は、送信部２１８及びアンテナ２１２を介してアップリンクデータ送信を送信し、サービング基地局１０２は、そのアンテナ２１０及び受信部２０８を介してアップリンクデータ送信を受信する。アップリンクデータ送信を含む信号は、図３Ａに信号３０８によって表される。
【００４２】
図３Ｂは、サービング基地局が、ＡＶ−ＵＥから受信したダウンリンク測定レポートに基づいて、通信リソースをＡＶ−ＵＥに動的に割り当てる一例のメッセージング図である。サービング基地局１０２は、その送信部２０６及びアンテナ２１０を介して、ダウンリンク信号をＡＶ−ＵＥ１０６に送信する。隣接基地局１０４は、その送信部２０６及びアンテナ２１０を介して、ダウンリンク信号をＡＶ−ＵＥ１０６に送信する。ＡＶ−ＵＥ１０６は、アンテナ２１２及び受信部２１４を介して両方の基地局１０２、１０４からダウンリンク信号を受信する。サービング基地局１０２からのダウンリンク信号を含む信号は、図３Ｂに信号３０５によって表される。隣接基地局１０４からのダウンリンク信号を含む信号は、図３Ｂに信号３０７によって表される。図３Ｂのダウンリンク信号３０５、３０７は、同時にＡＶ−ＵＥ１０６に送信されるものとして示されているが、他の例では、基地局１０２、１０４は、異なる時間にダウンリンク信号３０５、３０７をＡＶ−ＵＥ１０６に送ってもよい。
【００４３】
ＡＶ−ＵＥ１０６は、送信部２１８及びアンテナ２１２を介して、ＰＵＣＣＨ（Ｐｈｙｓｉｃａｌ  Ｕｐｌｉｎｋ  Ｃｏｎｔｒｏｌ  Ｃｈａｎｎｅｌ）でサービング基地局１０２に通信リソースのための要求を送信する。サービング基地局１０２は、そのアンテナ２１０及び受信部２０８を介して要求を受信する。要求を含む信号は図３Ｂに信号３０２によって表される。
【００４４】
ＡＶ−ＵＥ１０６は、送信部２１８及びアンテナ２１２を介して、ダウンリンク測定レポートをサービング基地局１０２に送信する。サービング基地局１０２は、そのアンテナ２１０及び受信部２０８を介してダウンリンク測定レポートを受信する。ダウンリンク測定レポートを含む信号は、図３Ｂに信号３０９によって表される。ダウンリンク測定レポート３０９は、ＡＶ−ＵＥ１０６によって受信されたダウンリンク信号３０５、３０７のうちの少なくとも１つに関する情報（例えば、信号強度／品質）を含む。図３Ｂの例では、ダウンリンク信号３０５及びダウンリンク信号３０７の両方に関する情報を含む単一のダウンリンク測定レポート３０９が示されている。しかしながら、他の例では、ダウンリンク測定レポート３０９は、単一のダウンリンク信号に関する情報を含んでいてもよく、又はさらに他の例では、別々のダウンリンク測定レポート３０９が、ダウンリンク信号３０５、３０７のそれぞれについて送信されてもよい。さらに、図３Ｂでは要求３０２の後にダウンリンク測定報告３０９が送信されているが、他の例では、ダウンリンク測定レポート３０９は、要求３０２の前に送信される及び／又はサービング基地局１０２からのダウンリンク測定レポートの要求に応答して送信され得る。
【００４５】
要求３０２及びダウンリンク測定レポート３０９を受信すると、サービング基地局１０２の制御部２０４は、ＡＶ−ＵＥ１０６によって取得されたダウンリンク測定レポート３０９（例えば、ダウンリンク信号品質測定値）に少なくとも部分的に基づいて、ＡＶ−ＵＥ１０６に割り当てられる通信リソースを選択する。他の例では、サービング基地局１０２はまた、ＡＶ−ＵＥ１０６に割り当てる通信リソースを選択する場合、１つ又は複数の追加のＵＥ装置からのダウンリンク測定レポートを考慮してもよい。サービング基地局１０２は、送信部２０６及びアンテナ２１０を介して、スケジューリング割り当て情報信号をＰＤＣＣＨ（Ｐｈｙｓｉｃａｌ  Ｄｏｗｎｌｉｎｋ  Ｃｏｎｔｒｏｌ  Ｃｈａｎｎｅｌ）でＡＶ−ＵＥ１０６に送信する。ＡＶ−ＵＥ１０６は、アンテナ２１２及び受信部２１４を介してスケジューリング割り当て情報信号を受信する。サービング基地局はまた、有線接続又は無線接続のいずれかを介して、スケジューリング割り当て情報を隣接基地局１０４に送信する。スケジューリング割り当て情報信号は、アップリンクデータ送信のためにＡＶ−ＵＥ１０６に割り当てられた通信リソースに関する情報を含む。ＡＶ−ＵＥ１０６に送信されるスケジューリング割り当て情報を含む信号は、図３Ｂに信号３０４によって表される。図３Ｂでは、信号３０４の送信は、それぞれ、ＡＶ−ＵＥ１０６及び隣接基地局１０４への別個の送信３０４、３０４´として示されているが、他の例では、サービング基地局１０２は、スケジューリング割り当て情報信号３０４を単一の送信としてＡＶ−ＵＥ１０６及び隣接基地局１０４に送信してもよい。場合によっては、スケジューリング割り当て情報信号３０４´の隣接基地局１０４への送信は、無線ベースのＸ２プロトコルを介して行われる。
【００４６】
スケジューリング割り当て情報信号３０４を受信すると、ＡＶ−ＵＥ１０６は、スケジューリング割り当て情報信号３０４で特定された通信リソースを使用して、ＰＵＳＣＨ（Ｐｈｙｓｉｃａｌ  Ｕｐｌｉｎｋ  Ｓｈａｒｅｄ  Ｃｈａｎｎｅｌ）を介してアップリンクデータ送信の送信を開始する。ＡＶ−ＵＥ１０６は、送信部２１８及びアンテナ２１２を介してアップリンクデータ送信を送信し、サービング基地局１０２は、そのアンテナ２１０及び受信部２０８を介してアップリンクデータ送信を受信する。アップリンクデータ送信を含む信号は、図３Ｂに信号３０８によって表される。
【００４７】
基地局１０２、１０４間の調整が利用できない第２のシナリオに関連して、ＡＶ−ＵＥ１０６は、ＡＶ−ＵＥ１０６によって引き起こされる干渉を緩和するために、ＡＶ−ＵＥ１０６に割り当てられた通信リソースを隣接基地局104に通知しなければならない。
【００４８】
図３Ｃは、ＡＶ−ＵＥが、ＡＶ−ＵＥに割り当てられた通信リソースに関するスケジューリング割り当て情報を隣接基地局に送信する一例のメッセージング図である。ＡＶ−ＵＥ１０６は、送信部２１８及びアンテナ２１２を介して、ＰＵＣＣＨ（Ｐｈｙｓｉｃａｌ  Ｕｐｌｉｎｋ  Ｃｏｎｔｒｏｌ  Ｃｈａｎｎｅｌ）でサービング基地局１０２に通信リソースのための要求を送信する。サービング基地局１０２は、そのアンテナ２１０及び受信部２０８を介して要求を受信する。要求を含む信号は図３Ｃに信号３０２によって表される。
【００４９】
要求３０２を受信すると、サービング基地局１０２の制御部２０４は、ＡＶ−ＵＥ１０６に割り当てられる通信リソースを選択する。サービング基地局１０２は、送信部２０６及びアンテナ２１０を介して、スケジューリング割り当て情報信号をＰＤＣＣＨ（Ｐｈｙｓｉｃａｌ  Ｄｏｗｎｌｉｎｋ  Ｃｏｎｔｒｏｌ  Ｃｈａｎｎｅｌ）でＡＶ−ＵＥ１０６に送信する。ＡＶ−ＵＥ１０６は、アンテナ２１２及び受信部２１４を介してスケジューリング割り当て情報信号を受信する。スケジューリング割り当て情報信号は、アップリンクデータ送信のためにＡＶ−ＵＥ１０６に割り当てられた通信リソースに関する情報を含む。スケジューリング割り当て情報を含む信号は、図３Ｃに信号３０４によって表される。
【００５０】
スケジューリング割り当て情報信号３０４を受信すると、ＡＶ−ＵＥ１０６は、送信部２１８及びアンテナ２１２を介して、ＰＵＣＣＨ（Ｐｈｙｓｉｃａｌ  Ｕｐｌｉｎｋ  Ｃｏｎｔｒｏｌ  Ｃｈａｎｎｅｌ）又はデータメッセージとしてＰＵＳＣＨ（Ｐｈｙｓｉｃａｌ  Ｕｐｌｉｎｋ  Ｓｈａｒｅｄ  Ｃｈａｎｎｅｌ）で隣接基地局１０４にスケジューリング割り当て情報を再送信する。隣接する基地局１０４は、そのアンテナ２１０及び受信部２０８を介して、再送信されたスケジューリング割り当て情報信号を受信する。再送されたスケジューリング割り当て情報を含む信号は、図３Ｃに信号３０６によって表される。いくつかの例では、再送信されたスケジューリング割り当て情報信号３０６には、プリアンブル、追加の参照信号、拡張サイクリックプレフィックス、及びタイミングアドバンスの少なくとも１つが追加される。ＡＶ−ＵＥ１０６と隣接基地局１０４との間のリンクのチャネル条件は、ＡＶ−ＵＥ１０６とサービング基地局１０２との間のリンクと異なる可能性があるため、これらの変更は、隣接基地局１０４と通信するために信号３０６に追加される。
【００５１】
ＡＶ−ＵＥ１０６は、スケジューリング割り当て情報信号３０４で特定された通信リソースを使用して、ＰＵＳＣＨ（Ｐｈｙｓｉｃａｌ  Ｕｐｌｉｎｋ  Ｓｈａｒｅｄ  Ｃｈａｎｎｅｌ）を介してアップリンクデータ送信の送信を開始する。ＡＶ−ＵＥ１０６は、送信部２１８及びアンテナ２１２を介してアップリンクデータ送信を送信し、サービング基地局１０２は、そのアンテナ２１０及び受信部２０８を介してアップリンクデータ送信を受信する。アップリンクデータ送信を含む信号は、図３Ｃに信号３０８によって表される。
【００５２】
図３Ｄは、ＡＶ−ＵＥがサウンディング参照信号（ＳＲＳ）を隣接基地局に送信し、隣接基地局がＡＶに割り当てられた通信リソースに関するスケジューリング割り当て情報を取得するために、ＳＲＳを復号し得る一例のメッセージング図である。ＡＶ−ＵＥ１０６は、送信部２１８及びアンテナ２１２を介して、ＰＵＣＣＨ（Ｐｈｙｓｉｃａｌ  Ｕｐｌｉｎｋ  Ｃｏｎｔｒｏｌ  Ｃｈａｎｎｅｌ）でサービング基地局１０２に通信リソースのための要求を送信する。サービング基地局１０２は、そのアンテナ２１０及び受信部２０８を介して要求を受信する。要求を含む信号は図３Ｄに信号３０２によって表される。
【００５３】
要求３０２を受信すると、サービング基地局１０２の制御部２０４は、ＡＶ−ＵＥ１０６に割り当てられる通信リソースを選択する。サービング基地局１０２は、送信部２０６及びアンテナ２１０を介して、スケジューリング割り当て情報信号をＰＤＣＣＨ（Ｐｈｙｓｉｃａｌ  Ｄｏｗｎｌｉｎｋ  Ｃｏｎｔｒｏｌ  Ｃｈａｎｎｅｌ）でＡＶ−ＵＥ１０６に送信する。ＡＶ−ＵＥ１０６は、アンテナ２１２及び受信部２１４を介してスケジューリング割り当て情報信号を受信する。スケジューリング割り当て情報信号は、アップリンクデータ送信のためにＡＶ−ＵＥ１０６に割り当てられた通信リソースに関する情報を含む。スケジューリング割り当て情報を含む信号は、図３Ｄに信号３０４によって表される。
【００５４】
スケジューリング割り当て情報信号３０４を受信すると、ＡＶ−ＵＥ１０６は、送信部２１８及びアンテナ２１２を介して、サウンディング参照信号（ＳＲＳ）を隣接基地局１０４に送信する。隣接基地局１０４は、そのアンテナ２１０及び受信部２０８を介してＳＲＳを受信する。ＳＲＳを含む信号は、図３Ｄに信号３１０によって表される。いくつかの例では、ＡＶ−ＵＥ１０６は、次のアップリンクデータ送信のためにＡＶ−ＵＥ１０６によって使用されることになるサブキャリアのセットを使用してＳＲＳを送信する。他の例では、ＡＶ−ＵＥ１０６は、次のアップリンクデータ送信のためにＡＶ−ＵＥ１０６によって使用されることになる通信リソースに関する情報を暗黙的に伝える特定のシーケンスを使用してＳＲＳを送信する。ＳＲＳの正確な内容に関係なく、隣接基地局１０４は、アップリンクデータ送信のためにＡＶ−ＵＥ１０６によって使用される通信リソースに関するスケジューリング割り当て情報を取得するために、ＳＲＳを復号する。
【００５５】
ＡＶ−ＵＥ１０６は、スケジューリング割り当て情報信号３０４で特定された通信リソースを使用して、ＰＵＳＣＨ（Ｐｈｙｓｉｃａｌ  Ｕｐｌｉｎｋ  Ｓｈａｒｅｄ  Ｃｈａｎｎｅｌ）を介してアップリンクデータ送信の送信を開始する。ＡＶ−ＵＥ１０６は、送信部２１８及びアンテナ２１２を介してアップリンクデータ送信を送信し、サービング基地局１０２は、そのアンテナ２１０及び受信部２０８を介してアップリンクデータ送信を受信する。アップリンクデータ送信を含む信号は、図３Ｄに信号３０８によって表される。
【００５６】
上述のように、隣接基地局１０４は、サービング基地局１０２又はＡＶ−ＵＥ１０６のいずれかから、ＡＶ−ＵＥ１０６に割り当てられた通信リソースに関する情報を受信することができる。どちらの場合でも、隣接基地局１０４は、ＡＶ−ＵＥ１０６によって送信されたアップリンクデータ送信によって引き起こされる干渉を緩和するために、受信した情報を使用し得る。例えば、隣接基地局１０４は、それ自体のＵＥ装置（例えば、ＵＥ装置１１４）をスケジュールする場合、ＡＶ−ＵＥ１０６に割り当てられた通信リソースを使用しないことを選択してもよく、又はＡＶ−ＵＥ１０６に割り当てられた通信リソースを使用して低優先度通信（例えば、低品質のサービス通信）をスケジュールする。さらに、隣接基地局１０４は、そのアンテナビームパターンを変更して、ＡＶ−ＵＥ１０６から離れるように操縦し得る。同様に、サービング基地局１０２は、そのアンテナビームパターンをＡＶ−ＵＥ１０６に向け得る。
【００５７】
図４は、ＡＶ−ＵＥによって引き起こされる干渉を緩和するために、ＡＶ−ＵＥによるスケジューリング割り当て情報が、エアインターフェースを介して、隣接基地局と共有される方法の一例のフローチャートである。方法４００のステップは、本明細書に記載され、図４の例に示されるのとは異なる順序で実行されてもよい。さらに、いくつかの例では、１つ又は複数のステップを省略してもよい。さらに、他の例では、１つ又は複数の追加のステップが追加されてもよい。場合によっては、複数のステップが並行して実行されてもよい。
【００５８】
図４に示す例では、方法４００はステップ４０２で始まり、ステップ４０２では、サービング基地局１０２が、アップリンクデータ送信のためにＡＶ−ＵＥ１０６によって使用される通信リソースを割り当てる。場合によっては、通信リソースは事前定義される。他の場合では、通信リソースは、少なくとも１つの隣接基地局１０４から受信されたアップリンク測定レポート及び／又はＡＶ−ＵＥ１０６から受信されたダウンリンク測定レポートに基づいて動的に割り当てられる。
【００５９】
ステップ４０４で、隣接基地局１０４は、エアインターフェースを介して、ＡＶ−ＵＥ１０６に割り当てられた通信リソースを通知される。いくつかの例では、サービング基地局１０２は、有線接続又は無線接続のいずれかを介して、ＡＶ−ＵＥ１０６に割り当てられた通信リソースに関するスケジューリング割り当て情報を隣接基地局１０４に送信する。他の例では、ＡＶ−ＵＥ１０６は、サービング基地局１０２から受信したスケジューリング割り当て情報信号を隣接基地局１０４に再送信する。さらに他の例では、ＡＶ−ＵＥ１０６は、サウンディング参照信号（ＳＲＳ）を隣接基地局１０４に送信する。隣接基地局１０４は、アップリンクデータ送信のためにＡＶ−ＵＥ１０６に割り当てられた通信リソースに関する情報を取得するために、再送信されたスケジューリング割り当て情報信号及び／又はＳＲＳを復号し得る。ステップ４０６で、隣接基地局１０４は、上述のように、ＡＶ−ＵＥ１０６によって送られるアップリンクデータ送信からの干渉を軽減する。
【００６０】
明らかに、本発明の他の実施形態及び修正形態は、当業者ならこれらの教示を考慮して容易に思いつくであろう。上述の説明は例示的なものであり、限定的なものではない。本発明は、上述の明細書及び添付の図面と併せて見たときに、そのようなすべての実施形態及び修正形態を含む下記の特許請求の範囲によってのみ限定されるものとする。従って、本発明の範囲は、上述の説明を参照して決定されるべきではなく、代わりに、添付の特許請求の範囲及びそれらの均等物の全範囲を参照して決定されるべきである。
【図１】
0006894042.tif 000002
【図２Ａ】
0006894042.tif 000003
【図２Ｂ】
0006894042.tif 000004
【図３Ａ】
0006894042.tif 000005
【図３Ｂ】
0006894042.tif 000006
【図３Ｃ】
0006894042.tif 000007
【図３Ｄ】
0006894042.tif 000008
【図４】
0006894042.tif 000009